(57)【特許請求の範囲】
【請求項１】
盤面上に設けられた始動用盤面構成部品に対して入賞通過した始動球をセンサが検出することにより、その始動球について１回行われる大当たり抽選の結果に応じた抽選演出を表示器によって行わせ、所定時間後にその抽選演出を終了させ、この終了時の前記表示器による表示態様に応じた遊技状態にパチンコ機各部を制御する主制御装置を備えるパチンコ機において、
前記表示器による抽選演出を複数段階で行うための複数の表示器と、これら複数の表示器のうち第１の表示器による抽選演出と相俟って第１段階の抽選演出を行う振分け体とを備え、
前記第１の表示器は、前記始動球をセンサが検出することにより第１段階の抽選演出を開始し、前記大当たり抽選の結果が大当たりである場合には大当たりの、外れである場合には外れ又は大当たりの、表示態様で抽選演出を終了し、
前記振分け体は、前記始動球を受け取り、機械的な駆動による第１段階の抽選演出を開始し、前記第１の表示器による前記第１段階の抽選演出終了時の表示態様に応じて前記始動球を当たり球排出口又は外れ球排出口に振分け排出させて抽選演出を終了し、
前記複数の表示器のうち第２の表示器は、前記振分け体が前記始動球を前記当たり球排出口又は外れ球排出口に排出させた後に、第２段階の抽選演出を開始し、前記大当たり抽選の結果が大当たりである場合には大当たりの、外れである場合には外れの、表示態様で抽選演出を終了するように、各々構成され、かつ、
前記振分け体が前記始動球を受け取ってから前記当たり球排出口又は外れ球排出口に排出させるまでの間、その始動球を前記盤面の正面側から目視可能に構成されたことを特徴とするパチンコ機。
【請求項２】
前記主制御装置は、所定の抽選演出時間短縮条件が充足されると前記抽選演出の時間を短縮させる抽選演出時間短縮機能を有し、この抽選演出時間短縮機能の作動時には、
前記第１の表示器及び振分け体による第１段階の抽選演出が抑止され、
前記振分け体は、受け取った前記始動球を当たり球排出口に排出させ、
前記第２の表示器は、前記始動球をセンサが検出することにより所定の抽選演出を開始して、前記大当たり抽選の結果が大当たりである場合には大当たりの、外れである場合には外れの、表示態様で抽選演出を終了するように、各々構成されたことを特徴とする請求項１に記載のパチンコ機。
【請求項３】
前記始動入賞口は前記盤面のほぼ中央に設けられた入賞装置の入賞口をなし、この入賞装置は、上部から下部に向かって前記始動入賞口、第１の表示器、振分け体及び第２の表示器が配設されてなることを特徴とする請求項１又は２に記載のパチンコ機。
【発明の詳細な説明】
【技術分野】
【０００１】
本発明は、盤面上の始動入賞口への入賞球（始動入賞球）又はゲートへの通過球をセンサが検出することにより大当たり抽選を行い、その結果に応じた抽選演出を表示器等により行うパチンコ機に関するものである。
【背景技術】
【０００２】
従来、需要の多いパチンコ機の１つに、次のような機種がある。これは、その盤面上の始動入賞口に遊技球が入賞すると、図柄表示装置の複数の表示領域に表示される図柄が各々変動し、停止後の図柄（停止図柄）が予め定められた図柄で揃っていると大当たりになって大入賞口が開放動作するというパチンコ機である。
このようなパチンコ機において、上記大入賞口が開放動作する遊技状態を大当たりというが、大当たりになるか否かは、始動入賞口に遊技球が入賞したときのカウンタのカウント値が予め設定された大当たり値に合致するか否かの大当たり抽選により行われる。
上記カウンタは、パチンコ機の電源ＯＮ時から、例えば０〜１０７９を繰り返しカウントするものであり、これら０〜１０７９までの数値中、例えば３種類の数値が大当たり値として設定されていると、３６０分の１の確率で大当たりになる。
【０００３】
近年、この種のパチンコ機は、大当たりになる確率（大当たり確率）を、予め定められた条件を満たすことによって変動させ、遊技者の興趣を高めるようにした機種が多い。この確率の変動（確率変動）は、具体的には確率変動前、つまり通常時の大当たり確率（低確率）が上記のように３６０分の１であれば、これを例えば６０分の１にするというように高確率にすることを内容とする。
【０００４】
また、予め定められた条件を満たすことによって図柄の変動表示時間（抽選演出時間）を短縮させて、図柄変動表示（抽選演出）をはかどらせた機種も多い（例えば、特許文献１参照）。
通常、図柄変動表示のための始動入賞球の個数の記憶値には上限が定められているが、この上限値を超え、始動入賞球が無効となる事態は、図柄の変動表示時間の短縮（以下、変動時間短縮と略称する。）、つまり図柄変動表示をはかどらせることによって避けることができる。これによれば、単位時間当たりの大当たり抽選回数が増えて、大当たりを生じさせやすくするので、遊技者にとって有利であり望むところである。
【０００５】
このような確率変動や変動時間短縮は、その実行開始後、予め定められた回数の図柄変動表示が行われる間、継続する。そして、図柄変動表示回数が予め定められた回数に達し、あるいは確率変動状態や変動時間短縮状態の継続中に大当たり状態になる等、予め設定した条件を充足すると、それまでの状態が解除され、通常の低確率状態や変動時間状態に戻るのが一般的である。
例えば変動時間短縮は、実行開始後、１００回の図柄変動表示が行われるまでその状態を継続し、図柄変動表示回数が１００回に達すると通常変動時間状態に戻る。
【０００６】
【特許文献１】特開２００５−１３１２４６号公報
【発明の開示】
【発明が解決しようとする課題】
【０００７】
このようなタイプのパチンコ機は、現在も人気が高く需要も多いが、長年続いているため、最近では更に工夫を凝らした新規なパチンコ機の開発が要望されている。
特に、遊技球が始動入賞口に入賞することによって、すなわち大当たり抽選がされることによって開始される抽選演出は、大当たり状態となるか否かを遊技者の視覚や聴覚にうったえる種々の態様により、また時間をかけて行われ、最終的に抽選結果を表示する盤面上の演出であり、遊技者が最もハラハラドキドキ感（以下、遊技高揚感と記す。）を抱く時間である。
そこで、この抽選演出をいかに工夫するかが重要となる。例として、抽選演出を２回行えばその分遊技高揚感は増大する。また、全体としての確率が例えば１００分の１であったとしても、最初の抽選演出における大当たり確率を例えば１／４、次の抽選演出における大当たり確率を１／２５というような設定によれば、全体として同じ確率でありながら個々の抽選演出においては当たり易く感じられる。特に、最初の抽選演出における大当たり確率＝１／４は、第１段階の抽選演出突破の達成感が得られ、１／１００の確率による１回の抽選演出で外れになるよりは遊技を楽しめる。
【０００８】
このように、抽選演出を２回行う最も単純な方法としては、抽選自体を２回行う方法が挙げられる。すなわち、１回目の抽選を行った後に１回目の抽選演出を行い、１回目の抽選が当たりであった場合には、１回目の抽選演出後に２回目の抽選を行い、その後に２回目の抽選演出を行う。そして、この２回目の抽選演出の終了時に最終的な抽選結果を表示する、というようにして２回の抽選と２回の抽選演出を行う方法である。２回の抽選演出に先立って２回の抽選を行う方法も考えられる。
【０００９】
しかしながら上記のような方法では、大当たり抽選は１回に限られるという制約がある場合には、採用することはできない。そこで従来、このような制約を満たしながら、抽選演出を２回行い、遊技高揚感を倍増させ得るパチンコ機の開発が望まれていた。
しかもこの場合、上記のような第１段階の抽選演出突破の達成感を与えるためには、抽選は各回の抽選演出毎に行われている感覚で遊技者が遊技できることが望まれ、したがって、従来、このようなパチンコ機の開発が課題となっていた。
【００１０】
本発明の課題は、大当たり抽選は１回という制約があっても、２回の抽選をしていると同様の遊技高揚感を遊技者に与えることができる新規なパチンコ機を提供することにある。
【課題を解決するための手段】
【００１１】
上記課題を解決するための手段を以下に述べる。
各手段は、項に区分し、各項に番号を付し、必要に応じて他の項の番号を引用する形式で記載する。これは、本発明の理解を容易にするためであって、本明細書に記載の技術的特徴が以下の各項に記載のものに限定されるものではない。
以下の各手段のうち、（１）項が請求項１に、（２）項が請求項２に、（３）項が請求項３に、各々対応する。
【００１２】
（１）盤面上に設けられた始動用盤面構成部品に対して入賞通過した始動球をセンサが検出することにより、その始動球について１回行われる大当たり抽選の結果に応じた抽選演出を表示器によって行わせ、所定時間後にその抽選演出を終了させ、この終了時の前記表示器による表示態様に応じた遊技状態にパチンコ機各部を制御する主制御装置を備えるパチンコ機において、前記表示器による抽選演出を複数段階で行うための複数の表示器と、これら複数の表示器のうち第１の表示器による抽選演出と相俟って第１段階の抽選演出を行う振分け体とを備え、前記第１の表示器は、前記始動球をセンサが検出することにより第１段階の抽選演出を開始し、前記大当たり抽選の結果が大当たりである場合には大当たりの、外れである場合には外れ又は大当たりの、表示態様で抽選演出を終了し、前記振分け体は、前記始動球を受け取り、機械的な駆動による第１段階の抽選演出を開始し、前記第１の表示器による前記第１段階の抽選演出終了時の表示態様に応じて前記始動球を当たり球排出口又は外れ球排出口に振分け排出させて抽選演出を終了し、前記複数の表示器のうち第２の表示器は、前記振分け体が前記始動球を前記当たり球排出口又は外れ球排出口に排出させた後に、第２段階の抽選演出を開始し、前記大当たり抽選の結果が大当たりである場合には大当たりの、外れである場合には外れの、表示態様で抽選演出を終了するように、各々構成され、かつ、前記振分け体が前記始動球を受け取ってから前記当たり球排出口又は外れ球排出口に排出させるまでの間、その始動球を前記盤面の正面側から目視可能に構成されたことを特徴とするパチンコ機。
（２）前記主制御装置は、所定の抽選演出時間短縮条件が充足されると前記抽選演出の時間を短縮させる抽選演出時間短縮機能を有し、この抽選演出時間短縮機能の作動時には、前記第１の表示器及び振分け体による第１段階の抽選演出が抑止され、前記振分け体は、受け取った前記始動球を当たり球排出口に排出させ、前記第２の表示器は、前記始動球をセンサが検出することにより所定の抽選演出を開始して、前記大当たり抽選の結果が大当たりである場合には大当たりの、外れである場合には外れの、表示態様で抽選演出を終了するように、各々構成されたことを特徴とする（１）項に記載のパチンコ機。
（３）前記始動入賞口は前記盤面のほぼ中央に設けられた入賞装置の入賞口をなし、この入賞装置は、上部から下部に向かって前記始動入賞口、第１の表示器、振分け体及び第２の表示器が配設されてなることを特徴とする（１）項又は（２）項に記載のパチンコ機。
【発明の効果】
【００１３】
（１）項に記載の発明によれば、大当たり抽選は１回という制約があっても、２回の抽選をしていると同様の遊技高揚感を遊技者に与えることが可能な新規なパチンコ機を提供できる。
（２）項に記載の発明によれば、（１）項に記載の新規なパチンコ機において、抽選演出時間短縮機能をもたせたパチンコ機を提供できる。
（３）項に記載の発明によれば、遊技者が最も注目する盤面のほぼ中央で、２回の抽選をしていると同様の遊技高揚感を遊技者に与えることが可能で、また、抽選演出時間短縮機能をもたせたパチンコ機を提供できる。
【発明を実施するための最良の形態】
【００１４】
以下、本発明の実施の形態を図面に基づき説明する。なお、各図間において、同一符号は同一又は相当部分を示す。
図１は、本発明によるパチンコ機の一実施形態の要部を示す正面図である。
この図において、１はパチンコ機遊技盤の盤面であり、この盤面１上には、ほぼ円弧状にレール２が取り付けられており、このレール２の内側には、遊技領域３が設定されている。レール２は、図示しないハンドルの操作により発射された遊技球（図示せず）を盤面１の左側上部から遊技領域３へ送り込むように案内する。
盤面１上には、レール２の他にも種々の盤面構成部品が設けられている。すなわち、盤面１のほぼ中央には入賞装置（役物装置）４が設けられ、その下方には大入賞口５が設けられている。その他、いくつかの入賞口６、ゲート７、風車８、ランプ９等が盤面１上に設けられている。
【００１５】
上記大入賞口５は、開放動作時に、他の入賞口６よりも入賞が著しく容易な形態、つまり入賞開口が著しく大きくなるように構成されている。
盤面１上のレール２の内側の最下部には、入賞しなかった遊技球が入球するアウト口１０が設けられ、更に、上記各部品４〜９やアウト口１０を避けた適宜箇所には、多数の遊技釘１１が打ち込まれている。
盤面１は透明ガラス板（図示せず）により覆われ、遊技球の盤面１からの離脱が阻止される。
【００１６】
上記レール２により案内されて盤面１の上部に打ち込まれた遊技球（図示せず）は、盤面１上に配置された遊技釘１１、風車８等によって流下の方向に変化を与えられながら入賞口６、入賞装置４、大入賞口５（開放時）に入賞し、あるいはゲート７を通過し、あるいは更に流下する。入賞しなかった遊技球はアウト口１０から遊技盤外に排出される。
【００１７】
入賞装置４は、図２及び図３に取り出し、拡大して示すように、上部から下部に向かって、始動入賞口２１（始動用盤面構成部品）、第１表示器２２、振分け体２３及び第２表示器２４を備えて構成されている。また、振分け体２３及び第２表示器２４間には左右各側に２つずつ、合計４つの保留球ランプＬ１〜Ｌ４が配設されている。
この場合、始動入賞口２１は、ゲート７を遊技球が通過することによって、対向する一対の可動片２１ａ，２１ａが各々外側に開いて遊技球入賞を容易にする所謂電動チューリップと称される入賞口で、入賞装置４の入賞口となっている。
【００１８】
第１表示器２２は、始動入賞口２１への入賞球（始動入賞球：始動球）を後述する始動入賞球センサが検出することにより行われる大当たり抽選の結果（抽選結果）に応じた第１段階の抽選演出を行う表示器である。ここで、大当たり抽選は、始動入賞口２１への入賞球１個につき１回行われる。
【００１９】
第１表示器２２は、図示例では各々発光源にＬＥＤが用いられた３つの☆形表示ランプＬ５〜Ｌ７と、その左右側に各々２つずつ配置されてなる合計４つの×形表示ランプＬ８〜Ｌ１１を備える。
これらの表示ランプＬ５〜Ｌ１１は、始動入賞口２１に遊技球が入賞した時（大当たり抽選時）の抽選用カウンタのカウント値等に応じた点消灯パターンで点消灯する。そして、この点消灯パターンに応じた時間の経過後、☆形表示ランプＬ５〜Ｌ７又は×形表示ランプＬ８〜Ｌ１１のいずれか１つが点灯した状態で抽選演出を終了する。
【００２０】
具体的には、抽選結果（大当たり／外れ）が大当たりの場合には☆形表示ランプＬ５〜Ｌ７のいずれか１つが点灯した状態で抽選演出を終了する（第１の表示態様）。
外れの場合には、１つの態様として、×形表示ランプＬ８〜Ｌ１１のいずれか１つが点灯した状態で抽選演出を終了する（第２の表示態様）。もう１つの態様としては、☆形表示ランプＬ５〜Ｌ７のいずれか１つが点灯した状態で抽選演出を終了する（第３の表示態様）。すなわち、第３の表示態様は、大当たり時の態様（第１の表示態様）と同様の態様を採用することにより、最終的な抽選結果が表示されるまで遊技者に対して期待感を持続させるようにしている。
演出終了時に点灯した表示ランプＬ（Ｌ５〜Ｌ１１中の１つ）は一定時間後（振分け体２３が後述するように始動入賞球を各球排出口に振分け排出した段階）に消灯する。なお点消灯パターンとは、本実施形態では表示ランプＬ５〜Ｌ１１の点消灯順序及び点消灯時間等の形態を指す。上記抽選用カウンタは、パチンコ機を統括制御する後述主制御装置内に備えられている。
【００２１】
第２表示器２４は、上記大当たり抽選に応じて第２段階の抽選演出（図柄変動表示）を行う表示器で、本実施形態では、２つの７セグメント数字表示素子２４ａ，２４ｂを横並びに配設してなる。
各数字表示素子２４ａ，２４ｂは、大当たり抽選時の上記カウント値等に応じた変動パターンで数字（一般に図柄と称する。以下、図柄とも記す。）を変動表示し、その変動パターンに応じた時間の経過後、各々０〜９までの数字のいずれか１つを表示した状態で抽選演出を終了する。
【００２２】
具体的には、抽選結果が大当たりであれば「３、３」又は「７、７」の数字が表示された状態（当たり表示態様）で図柄停止、つまり抽選演出を終了する。抽選結果が外れであれば、「３、３」と「７、７」以外の数字が表示された状態（外れ表示態様）で抽選演出を終了する。
「３、３」又は「７、７」の数字が表示された状態で抽選演出を終了（図柄停止）すると、つまり抽選結果が大当たりであると、この図柄停止後に大入賞口５が開放動作すると共に、詳細を後述する抽選演出時間短縮機能が作動を開始する。なお変動パターンとは、本実施形態では各数字表示素子２４ａ，２４ｂが表示する図柄の変動順序（図柄変動表示態様）及び図柄変動表示時間等の形態を指す。
【００２３】
振分け体２３は、入賞装置４、詳しくは始動入賞口２１に入賞した遊技球である始動入賞球を受け取り、機械的な駆動、本実施形態では回転（揺動を含む）による第１段階の抽選演出を行う回転体である。
この振分け体２３は、始動入賞球を受け取ることにより、回転による第１段階の抽選演出を開始し、第１表示器２２による第１段階の抽選演出終了時の表示態様に応じた球排出態様に従って、つまり決定された当たり球排出口２５又は外れ球排出口２６に始動入賞球を振分け排出させて、抽選演出を終了する。
振分け体２３は、その回転による第１段階の抽選演出の終了時に、始動入賞球を長孔からなる当たり球排出口２５又は短孔からなる外れ球排出口２６のうちのどちらか一方に振分け排出させる回転体であり、後述するモータによって回転される。振分け体２３の外周には、間隔を置いて長短２つの切欠き２３ａ，２３ｂが形成されている。
【００２４】
この振分け体２３による第１段階の抽選演出開始時の演出形態としては、演出前、始動入賞口２１からの始動入賞球の入口４１に対向した状態にある短切欠き２３ｂが始動入賞球を受け取った後、その始動入賞球を球排出口２５，２６に排出させるに至らない回転角度内で揺動させる形態（揺動演出形態）が挙げられる。
図４に、短切欠き２３ｂが始動入賞球の入口４１に対向した状態にある振分け体２３の姿勢を示す。
なお、本実施形態において振分け体２３は、始動入賞球を後述する始動入賞球センサが検出するまでは長短２つの切欠き２３ａ，２３ｂの中間部が真上を向いた姿勢、つまり同中間部裏面が始動入賞球の入口４１に対向して同入口４１を塞いだ状態にある（図２参照）。そして、始動入賞球を始動入賞球センサが検出すると、図２に示す姿勢から時計回りに回転して短切欠き２３ｂが始動入賞球の入口４１に対向した図４に示す姿勢になり、短切欠き２３ｂが始動入賞球を受け取るように構成されている。
【００２５】
振分け体２３の上記振分け排出は、第１表示器２２による第１段階の抽選演出終了後、これに引き続いて行われる。
第１表示器２２による第１段階の抽選演出終了時の表示態様（抽選演出終了時に点灯したのは☆形表示ランプＬ５〜Ｌ７である第１の表示態様か、×形表示ランプＬ８〜Ｌ１１である第２の表示態様か）と、振分け体２３による振分け排出結果（始動入賞球が排出されたのは当たり球排出口２５か外れ球排出口２６か）とが一致することは勿論である。
以上のような振分け体２３の回転動作パターンは、大当たり抽選時の抽選用カウンタとは別に設けられた抽選用カウンタのカウント値に応じて選択、決定される。振分け体２３は、決定された回転動作パターンに応じた時間の経過後、上記のように球排出口２５又は２６に始動入賞球を排出して抽選演出を終了する。なお回転動作パターンとは、本実施形態では回転の方向や角度等の組合せ及び回転時間等の形態を指す。
【００２６】
上記保留球ランプＬ１〜Ｌ４は、後述する抽選演出保留機能により抽選演出が保留されている抽選演出保留球が現在いくつあるかを表示する。
【００２７】
図２、図４においては図示を省略しているが、振分け体２３の正面側は、この振分け体２３からの遊技球離脱防止用兼装飾用の透光性窓板２７で覆われている（図１、図３参照）。すなわち、この入賞装置４は、振分け体２３が始動入賞球を受け取ってから当たり球排出口２５又は外れ球排出口２６に排出させるまでの間、その始動入賞球自体を盤面１の正面側（遊技者）から目視可能に構成されている。
これは、遊技球が始動入賞口２１に入賞した時、つまり第１段階の抽選演出の際に加え、第２段階の抽選演出の際にも抽選しているように見せ、遊技高揚感を持続させるためである。
【００２８】
特に、１回の始動入賞口２１への入賞につき１回だけ行われる大当たり抽選が主制御装置において内部的には外れが決定されていても、始動入賞球が振分け体２３の回転による抽選演出を経て当たり球排出口２５に排出され、しかもその間、通してその様子を目視可能な本実施形態においては、遊技高揚感を持続させる。この形態によれば、当たり球排出口２５への始動入賞球の排出時点、つまり第２表示器２４による抽選演出開始時点においても抽選しているように、より見えるようになるからである。
目視が不能、つまり始動入賞口２１への入賞時点以降、始動入賞球を全く見せない場合には、入賞時点から、大当たり抽選の結果が最終的に報知される第２表示器２４による抽選演出の終了直前までの間、遊技高揚感は失われる。パチンコ機内部の処理においてはどのような展開もあり得、明らかなのは最終的な抽選結果の報知だけとなるからである。
【００２９】
図５に、上記透光性窓板２７を備えて形成された始動入賞球ガイド枠体２０と、振分け体２３と、球排出口２５，２６（詳しくは球排出口２５，２６が穿設された化粧板２９）との位置関係を示す。
図示するように、パチンコ機正面側から背面側に向かって、始動入賞球ガイド枠体２０、振分け体２３及び球排出口２５，２６の順に配置されている。本実施形態では、始動入賞球ガイド枠体２０は透光性窓板２７部分のみならず、全面（正面及び側面等）が透光性を有して形成されており、始動入賞口２１から振分け体２３に送り込まれる始動入賞球についても盤面１の正面側（遊技者）から目視可能である。
【００３０】
図６は、図１に示したパチンコ機の要部を示すブロック図である。
以下、この図６に示す構成につき、図１、図２を併用して説明する。
図６に示すようにパチンコ機は、ゲート通過球センサ３０、入賞球センサ３１、主制御装置３２、演出制御装置３３、役物装置用制御装置３４及び音声／ランプ制御装置３５を備えている。また、大入賞口作動ソレノイド３６、賞球払出制御装置３７及び始動入賞口作動ソレノイド３８も備えている。
上記ゲート通過球センサ３０は、図１中のゲート７を通過した遊技球を検出するスイッチからなり、各ゲート７に一対一対応で設けられている。
また入賞球センサ３１は、入賞球を検出するスイッチからなり、図１に示す盤面１に設けられた各入賞口５，６，２１に一対一対応で設けられている。このうち３１ａは、始動入賞口２１への入賞球（始動入賞球）を検出する始動入賞球センサである。
【００３１】
主制御装置３２は、演出制御装置３３（ひいては役物装置用制御装置３４、音声／ランプ制御装置３５）、大入賞口作動ソレノイド３６、賞球払出制御装置３７及び始動入賞口作動ソレノイド３８等、パチンコ機全体を統括制御する装置であり、入力ポート３２ａ、ＣＰＵ３２ｂ、出力ポート３２ｃ、ＲＯＭ３２ｄ及びＲＡＭ３２ｅ等を備えている。
上記ＲＯＭ３２ｄには、ＣＰＵ３２ｂが読み込んで実行するパチンコ遊技のプログラム及びこのプログラムの実行時に必要なデータ等が格納されている。ＲＡＭ３２ｅは、上記プログラムの実行時の作業領域等に使用される。
【００３２】
図示するように、主制御装置３２には、ゲート通過球センサ３０、入賞球センサ３１（始動入賞球センサ３１ａを含む。）が接続されており、主制御装置３２の入力ポート３２ａは、これらゲート通過球センサ３０、入賞球センサ３１からの信号を受け、ＣＰＵ３２ｂに与える。
ＣＰＵ３２ｂは、入賞球センサ３１により入賞球を検出すると、出力ポート３２ｃを介して演出制御装置３３や賞球払出制御装置３７等に信号を出力し、あるいは大入賞口作動ソレノイド３６を作動させ、入賞に対応した遊技処理を行う。
またＣＰＵ３２ｂは、ゲート通過球センサ３０によりゲート通過球を検出すると、出力ポート３２ｃを介して始動入賞口２１の一対の可動片２１ａ，２１ａを開閉する始動入賞口作動ソレノイド３８を開作動させる。
【００３３】
演出制御装置３３は、主制御装置３２からの制御信号を受けて、役物装置用制御装置３４及び音声／ランプ制御装置３５の演出動作用制御信号を生成し、出力する装置である。
上記役物装置用制御装置３４は、演出制御装置３３からの演出動作用制御信号に基づき、入賞装置４の各部を制御する装置である。
この役物装置用制御装置３４は、具体的には、第１表示器２２の表示ランプＬ５〜Ｌ１１を点消灯制御して第１表示器２２による第１段階の抽選演出をさせると共に、振分け体２３のモータ２８を回転制御して振分け体２３の回転による第１段階の抽選演出をさせる。また、第２表示器２４の数字表示素子２４ａ，２４ｂを制御して、この第２表示器２４による第２段階の抽選演出（図柄変動表示）をさせる。更に、保留球ランプＬ１〜Ｌ４を点消灯させ、また後述する超過保留球排出用のシャッタ（図示せず）を開閉するシャッタ作動ソレノイド３９を制御する。
【００３４】
音声／ランプ制御装置３５は、演出制御装置３３からの演出動作用制御信号に基づき、種々の効果音、合成音声をスピーカ等の音声出力装置３５ａから出力させると共に、図１に示す盤面１上の種々のランプ９を点消灯させる装置である。
大入賞口作動ソレノイド３６は、大当たり動作時に作動して大入賞口６を開放させるソレノイドである。賞球払出制御装置３７は、入賞に対応した賞球払出処理を行う装置である。
【００３５】
以上の構成において、主制御装置３２は、パチンコ機の電源ＯＮ時から、例えば０〜１０７９を予め定められた周期で繰り返しカウントする抽選用カウンタ（図示せず）をカウント動作させている。
そしてこの主制御装置３２は、図１に示す始動入賞口２１に遊技球が入賞し、始動入賞球センサ３１ａが始動入賞球を検出すると、上記抽選用カウンタのカウント値を取得し、予め設定されている大当たり値と比較する。つまり、大当たり抽選を行い、この抽選結果に応じた抽選演出を第１表示器２２及び振分け体２３により行わせ、又は第１表示器２２、振分け体２３及び第２表示器２４により行わせる。
主制御装置３２は、この抽選演出終了時の第１表示器２２又は第２表示器２４の表示態様に応じた遊技状態、すなわち大当たり状態や大当たり状態以外の遊技状態にパチンコ機各部を制御する。
【００３６】
振分け体２３による抽選演出は、主制御装置３２の制御信号に基いて、具体的にはこの制御信号を受けた演出制御装置３３が演出動作用制御信号を役物装置用制御装置３４に与えることによって行う。以下、振分け体２３の回転による第１段階の抽選演出、特に始動入賞球の振分け排出について詳述する。
振分け体２３は、演出制御装置３３から演出動作用制御信号を受けた役物装置用制御装置３４によるモータ２８の回転制御によって、始動入賞球を上記揺動演出形態による抽選演出後、回転により抽選結果（大当たり／外れ）に応じた球排出口２５，２６に振り分ける振分け排出を行う。
【００３７】
すなわち、抽選結果が外れの場合は、１つの態様として、図２に示すように始動入賞球を受けた短切欠き２３ｂを外れ球排出口２６に対向させ、外れに係る始動入賞球を外れ球排出口２６に、自重と短切欠き２３ｂ底面に形成された傾斜によって転動させ、排出させる。もう１つの態様としては、図７に示すように始動入賞球を受けた短切欠き２３ｂを当たり球排出口２５に対向させ、抽選結果が外れに係る始動入賞球をその当たり球排出口２５から自重と短切欠き２３ｂ底面に形成された傾斜によって転動させて、排出させる。
【００３８】
抽選結果が大当たりの場合は、始動入賞球を受けた短切欠き２３ｂを例外なく当たり球排出口２５に対向させ（図７参照）、当たりに係る始動入賞球をその当たり球排出口２５に、自重と短切欠き２３ｂ底面に形成された傾斜によって転動させ、排出させる。
始動入賞球が当たり球排出口２５から排出された場合には、その排出後に、第２表示器２４による第２段階の抽選演出が行われる。当たり球排出口２５からの排出前に、第２表示器２４による第２段階の抽選演出を開始させないのは、第２表示器２４による抽選演出開始時点においても抽選しているように見せるためである。
【００３９】
本実施形態では、抽選結果が大当たりであれば、上述したようにその大当たりに係る始動入賞球は当たり球排出口２５から排出され、第２表示器２４による第２段階の抽選演出は大当たりの表示態様（停止図柄）で終了し、その後、大入賞口５が開いて大当たり動作する、大当たり状態となる。
この大当たり動作後は、詳細を後述する抽選演出時間短縮機能が作動し、予め定められた回数の抽選演出が行われる間、この作動を継続する。この作動継続中は、第１表示器２２による第１段階の抽選演出が抑止される（第１段階の抽選演出が行われない）。
【００４０】
また、抽選演出時間短縮機能の作動継続中において、振分け体２３は、図８に示すようにその長切欠き２３ａが、上部側において始動入賞球の入口４１と対向し、下部側において当たり球排出口２５と対向する回転位置（姿勢）を保持するように制御される。これによると、入賞装置４に入賞した始動入賞球は、そのまま、つまり振分け体２３が回転することなく、同振分け体２３の長切欠き２３ａを経て当たり球排出口２５に導かれ排出される。
つまり、振分け体２３の回転による第１段階の抽選演出も抑止され（回転による第１段階の抽選演出も行われず）、第２表示器２４による第２段階の抽選演出が行われ、入賞装置４における全体の抽選演出時間が短縮されることになって抽選演出がはかどり、遊技者にとって有利な遊技状態となる。
【００４１】
説明を、図６に示す始動入賞球センサ３１ａによる始動入賞球の検出動作に戻す。
主制御装置３２は、始動入賞球を検出すると大当たり抽選を行うが、同時に、始動入賞口２１（図１参照）に遊技球が入賞したことによる賞球の払出しを行うため、賞球払出制御装置３７に賞球払出信号を出力する。なお主制御装置３２は、図１に示す全ての入賞口５，６，２１への遊技球入賞時に、賞球払出制御装置３７に賞球払出信号を出力し、各入賞口５，６，２１毎に設定された球数の賞球の払出しを行う。
【００４２】
大当たり抽選の結果が大当たりであると、上述したような第１表示器２２及び振分け体２３による第１段階の抽選演出を経て、第２表示器２４による第２段階の抽選演出が行われる。すなわち、第２表示器２４の数字表示素子２４ａ，２４ｂによる図柄変動表示を行い、その後、数字表示素子２４ａ，２４ｂが、「３、３」又は「７、７」で揃う図柄を表示した状態で図柄変動表示を停止する。
【００４３】
第２表示器２４が上記のような図柄変動表示を行い、「３、３」又は「７、７」の大当たり図柄が表示された状態（表示態様）で停止、つまり第２段階の抽選演出を終了すると、大入賞口６が開放する大当たり状態となり、より多くの入賞、賞球獲得が可能となる。
大当たり状態においては、図６に示す大入賞口作動ソレノイド３６の作動による上記大入賞口６の開放動作の他、音声出力装置３５ａ、ランプ９による種々の演出動作が行われる。
【００４４】
このような大当たり状態において、遊技球が次々と始動入賞口２１（図２参照）に入賞する、つまり始動入賞球が連続する場合が多々ある。また、大当たり抽選の結果が既に内部的に確定していても、先の始動入賞球による抽選演出が終了しておらず、この抽選演出の間に発射された遊技球が始動入賞口２１に入賞する場合もある。
このような場合には、始動入賞球の数は、予め定められた個数、通常５個を上限としてメモリ、例えば図６に示す主制御装置３２のＲＡＭ３２ｅに記憶され、記憶された１個の始動入賞球（保留球）に係る抽選演出を終える毎に１個ずつ消化される（減じられる）。記憶された始動入賞球数（抽選演出保留球数記憶値）が消化され、５個未満となったときは、その時点から５個を上限として再び積算可能となる。
保留球ランプＬ１〜Ｌ４は、このような始動入賞球（保留球）５個を上限とする抽選演出保留機能において、抽選演出保留球が現在いくつあるかをその点灯数で表示する。
【００４５】
本実施形態においては、主制御装置３２は確率変動機能（以下、確変機能と略記する。）及び抽選演出時間短縮機能（以下、時短機能と略記する。）を有する。以下これについて、図２等を参照して説明する。
上記確変機能は、予め定められた確率変動条件が充足されると、次回以降、予め定められた回数、ここでは５００回までの大当たり抽選の際に大当たりとする確率を、それまでの低い値（低確率）から高い値（高確率）に変動させる機能である。
【００４６】
上記確率変動条件としては、抽選演出終了時の停止図柄が、大当たりとされる特定図柄のうち特に定められた図柄（確率変動図柄）となること等が設定される。本実施形態では、大当たり図柄「３、３」及び「７、７」がそのまま確率変動図柄に設定されている。つまり、大当たり図柄で停止すれば必ず確率変動条件が充足されるように設定されている。勿論、「３、３」、「７、７」のどちらかの場合に確率変動条件が充足されるようにしてもよい。
【００４７】
また時短機能は、予め定められた変動時間短縮条件が充足されると次回以降、予め定められた回数、ここでは１００回までの大当たり抽選に基づいて行われる抽選演出の時間を短縮させる機能である。
本実施形態では、時短機能の作動時には第１表示器２２による第１段階の抽選演出が抑止され、始動入賞口２１に遊技球が入賞すると、第２表示器２４による第２段階の抽選演出が行われる。つまり、入賞装置４における全体の抽選演出時間が、少なくとも第１表示器２２及び振分け体２３による第１段階の抽選演出時間分、短縮されることになって抽選演出がはかどり、遊技者にとって有利な遊技状態となる。なお、時短機能作動中は、ゲート７を遊技球が通過することによる始動入賞口２１の可動片２１ａ，２１ａの開放時間が長くなり、この点でも遊技者にとって有利となる。
【００４８】
上記変動時間短縮条件としては、抽選演出終了時の停止図柄が、大当たりとされる特定図柄のうち特に定められた図柄（変動時間短縮図柄）となること等が設定される。本実施形態では、上記確率変動条件と同様に、大当たり図柄「３、３」及び「７、７」がそのまま変動時間短縮条件に設定されている。つまり、大当たり図柄で停止すれば必ず変動時間短縮条件が充足されるように設定されている。
【００４９】
また本実施形態において、入賞装置４は、振分け体２３が始動入賞球を受け取ってから球排出口２５又は２６に排出させるまでの間、その始動入賞球を盤面１の正面側（遊技者）から目視可能に構成されている。この場合、始動入賞球は、始動入賞口２１から振分け体２３上部に開口する始動入賞球の入口４１までを、抽選演出保留球通路（図示せず）を通って送られる構成とされている。
このような構成においては、始動入賞口２１への入賞が続くと、始動入賞球は上記抽選演出保留球通路を通って振分け体２３側に次々と送り込まれることになる。ここで、始動入賞球は実際の遊技球（実球）であるから、上記抽選演出保留球通路内の収容許容個数を超えると、始動入賞球が始動入賞口２１から溢れる等の不都合が生じる。
【００５０】
このため本実施形態では、実保留球（実球による保留球）の数を調整する次のような実保留球数調整機構を設けた。
この実保留球数調整機構は、抽選演出未終了の始動入賞球（実保留球）が、振分け体２３の短切欠き２３ｂに収容可能の１個に、上記抽選演出保留球通路内の収容許容個数４個を加えた合計５個に達した場合に、更に送られてくる５個を超える分の始動入賞球を、上記抽選演出保留球通路の入口手前で外部に排出させるための超過保留球排出路（図示せず）を備える。そして、この超過保留球排出路と上記抽選演出保留球通路との分岐点に超過保留球排出用のシャッタ（図示せず）を備えて構成されている。
【００５１】
このように構成された実保留球数調整機構は、上記シャッタを、６個目以降の始動入賞球（実保留球）が始動入賞口２１から抽選演出保留球通路に向けて送られてきた場合にシャッタ作動ソレノイド３９を付勢して開放させ、その６個目以降の実保留球を抽選演出保留球通路の入口手前で上記超過保留球排出路側に逃がして外部に排出させる。
またこの実保留球数調整機構は、上記シャッタを、実保留球が５個未満となった場合に
シャッタ作動ソレノイド３９を消勢して閉成させ、その時点から５個を上限として実保留球を再び抽選演出保留球通路を通って始動入賞球の入口４１側に送られるように閉じる。
実保留球数調整機構は、このようにして始動入賞球が始動入賞口２１から溢れる等の不都合が生じることを防止し、また、保留球ランプＬ１〜Ｌ４の点灯数で表示される保留球数（図６に示す主制御装置３２の演算処理による保留球数）と実保留球数とを一致させている。
【００５２】
以上のように構成されたパチンコ機において、いま、図１に示す盤面１の上部に打ち込まれた遊技球が、可動片２１ａ，２１ａが閉じた状態の始動入賞口２１に、あるいは、遊技球がゲート７を通過して可動片２１ａ，２１ａが開いた状態の始動入賞口２１に入賞したとする。すると、図６に示す始動入賞球センサ３１ａがその始動入賞球を検出し、主制御装置３２において大当たり抽選が行われ、同始動入賞球について大当たり／外れが決定される。
この始動入賞球は、この際、図４に示すように短切欠き２３ｂが真上に向く位置に姿勢（回転位置）が制御されている振分け体２３に向けて送られ、その短切欠き２３ｂ内に受け取られる。
【００５３】
この始動入賞球は、振分け体２３が図２又は図７に示す位置まで回転し、短切欠き２３ｂ内から排出されるまで、当該変動、すなわち抽選演出中として数えられる。保留球の消化（保留球数の減算）は、本実施形態では振分け体２３における第１段階の抽選演出終了で実行され、この保留球の消化前に新たに始動入賞球センサ３１ａが始動入賞球を検出すると保留球数は加算される。保留球数の増減があると、その数が更新記憶され、また点灯する保留球ランプ数も更新される。
保留球数は５個が上限であり、実保留球数が５個を超えないようにする調整は上記実保留球数調整機構で行われ、始動入賞球（実球）が始動入賞口２１から溢れる等の不都合は生じない。
【００５４】
大当たり抽選が行われると、詳細を上述した、第１表示器２２の表示ランプＬ５〜Ｌ１１の点消灯による第１段階の抽選演出が開始されると共に、振分け体２３の回転による第１段階の抽選演出が開始される。遊技者には、これら第１表示器２２の点消灯表示と振分け体２３の回転とによる第１段階の抽選演出によって最初の遊技高揚感が与えられる。
また、大当たり抽選の結果が当たりである場合や、外れであっても一部の例外的な場合には、第２表示器２４の２つの数字表示素子２４ａ，２４ｂによる第２段階の抽選演出（図柄変動表示）が行われ、遊技者の興趣を持続する。
【００５５】
しかも、本実施形態においては、入賞装置４は、振分け体２３が始動入賞球を受け取ってから当たり球排出口２５又は外れ球排出口２６に排出させるまでの間、その始動入賞球を盤面１の正面側から、換言すれば遊技者から目視可能である。また、振分け体２３の回転による上記球排出口２５又は２６への始動入賞球排出後に、第２表示器２４による第２段階の抽選演出が開始するので、この第２表示器２４による抽選演出開始時点においても抽選しているように見え、遊技者の遊技高揚感を持続させる。
【００５６】
始動入賞口２１への入賞時点以降、始動入賞球（実球）を全く見せない場合には、入賞時点から、大当たり抽選の結果が最終的に報知される第２表示器２４による抽選演出の終了直前までの間、遊技者の遊技高揚感は失われる。パチンコ機内部の処理においてはどのような展開もあり得、明らかなのは抽選結果の報知だけとなるからである。
また、振分け体２３の回転による上記球排出口２５又は２６への始動入賞球排出前に、第２表示器２４による第２段階の抽選演出が開始する場合も、第２段階の抽選演出に際して再び抽選をしているかのようには見えず、この時点で遊技者の遊技高揚感は失われる。
【００５７】
上記抽選結果が大当たりであれば、第２表示器２４（数字表示素子２４ａ，２４ｂ）は、「３、３」又は「７、７」の大当たり図柄を表示した状態（表示態様）で動作を停止し、つまり第２段階の抽選演出を終了し、大入賞口６が開放する大当たり状態となって、より多くの入賞、賞球獲得が可能となる。
大当たり動作後は、上述した時短機能が作動し、第１表示器２２による第１段階の抽選演出が抑止される。時短機能の作動中において、振分け体２３は、図８に示すように、その長切欠き２３ａが、上部側において始動入賞球の入口４１と対向し、下部側において当たり球排出口２５と対向する姿勢を保持するように制御される。
【００５８】
これによると、入賞装置４に入賞した始動入賞球は、そのまま振分け体２３の長切欠き２３ａを経て当たり球排出口２５に導かれて排出される。つまり、振分け体２３の回転による第１段階の抽選演出も抑止され、第２表示器２４による第２段階の抽選演出のみが行われる。これにより、入賞装置４における全体の抽選演出時間が短縮され、抽選演出がはかどり、遊技者にとって有利な遊技状態となる。
本実施形態では、大当たり動作後は上述した確変機能も作動する。
【００５９】
このような遊技において、入賞装置４における抽選演出が第１段階の抽選演出で終了するか、第２段階の抽選演出まで移行するかの決定は重要である。また、第１段階の抽選演出における第１表示器２２の点消灯パターン、振分け体２３の回転動作パターン及び第２表示器２４の変動パターンや、第１表示器２２、第２表示器２４における抽選演出終了時の表示態様、振分け体２３における抽選演出終了時の球排出態様の指定も同じく重要である。
本実施形態においては、このような決定、指定は次のように行われている。
【００６０】
すなわち図６において、主制御装置３２は、始動入賞球センサ３１ａが始動入賞球を検出すると、抽選用カウンタのカウント値を取得して大当たり抽選を行う一方で、その大当たり抽選用カウンタとは別の抽選用カウンタにて取得したカウント値等に基づき、多種類ある抽選演出パターンの中から１種類の抽選演出パターンを選択、決定する。そして、決定した抽選演出パターンを指定する抽選演出パターン指定コマンド（制御信号）Ｓ１を演出制御装置３３に送信する。
【００６１】
主制御装置３２から送信される抽選演出パターン指定コマンドＳ１には、総抽選演出時間情報、第１段階の抽選演出終了時の態様情報、第２段階の抽選演出終了時の態様情報、第２段階の抽選演出時の変動パターン情報、及び第１段階の抽選演出時間情報を少なくとも有する。
ここで、総抽選演出時間情報とは、第１表示器２２による第１段階の抽選演出開始時から第２表示器２４による第２段階の抽選演出終了時までの時間であり、第１段階又は第２段階いずれか一方の抽選演出を行わない場合は他方の抽選演出の開始から終了までの時間を指す。第１段階の抽選演出終了時の態様情報とは、第１表示器２２の第１段階の抽選演出終了時の表示態様、及び振分け体２３による第１段階の抽選演出終了時の球排出態様を指す。
また、第２段階の抽選演出終了時の態様情報とは、第２表示器２４の抽選演出終了時の表示態様を指し、第２段階の抽選演出時の変動パターン情報とは、第２表示器２４の抽選演出時の変動（演出）パターンを指す。更に、第１段階の抽選演出時間情報とは、第１表示器２２による第１段階の抽選演出開始時から振分け体２３による同抽選演出終了時までの時間を指す。
【００６２】
演出制御装置３３は、主制御装置３２から送信された抽選演出パターン指定コマンドＳ１を受信すると、その内容を解析して役物装置用制御装置３４及び音声／ランプ制御装置３５に各々対応した演出動作を行わせるための指示コマンド（演出動作用制御信号）Ｓ２を出力する。
例えば、役物装置用制御装置３４の第１表示器制御部（図示せず）には、主制御装置３２から受信した抽選演出パターン指定コマンドＳ１に対応した選択比率テーブルに基づき、第１表示器２２（図２参照）による第１段階の抽選演出時の点消灯パターンを選択、決定し、その点消灯パターンの指示コマンドＳ２１を出力する。また、役物装置用制御装置３４のモータ制御部（図示せず）には、振分け体２３（図２参照）の回転動作パターンを選択、決定し、その回転動作パターンの指示コマンドＳ２２を出力する。
【００６３】
更に、演出制御装置３３は、主制御装置３２から送信された抽選演出パターン指定コマンドＳ１中の第２段階の抽選演出時の変動パターン情報に基づき、第２表示器２４（図２参照）による第２段階の抽選演出時の変動パターンを選択、決定し、その変動パターンの指示コマンドＳ２３を役物装置用制御装置３４の第２表示器制御部（図示せず）に出力する。
【００６４】
演出制御装置３３は、また音声／ランプ制御装置３５へも指示コマンドＳ３を出力する。音声／ランプ制御装置３５への指示コマンドＳ３には、音声出力装置３５ａから所定の音声を出力させる指示コマンドや、図１に示す盤面１上の種々のランプ９を種々のパターンで点消灯させる指示コマンドがある。
【００６５】
なお、上記第１表示器２２による第１段階の抽選演出時の点消灯パターンに含まれる時間（点消灯開始から終了までの時間）情報は、主制御装置３２から演出制御装置３３に送信されてきた抽選演出パターン指定コマンドＳ１の種類（総抽選演出時間情報の種類）に拘わらず一定に設定されている。すなわち、第１段階の抽選演出時の点消灯パターンは一定時間であるために、総抽選演出時間に対応することのない設定となっている。
本実施形態に係るパチンコ機は、以上のような各コマンドＳ１，Ｓ２（Ｓ２１〜２３）等に基づいて上記第１表示器２２、振分け体２３及び第２表示器２４等が制御されることにより、２段階の抽選演出が行われるが、上記コマンドの種類やコマンドの内容等は一例であり、本実施形態に限定されることはない。
【００６６】
以上述べたように本実施形態によれば、始動入賞球センサ３１ａが始動入賞球を検出して大当たり抽選が行われると、この大当たり抽選の回数は１回、という従来からのパチンコ機と同様の形式を採りながらも遊技高揚感を持続でき、より面白みのある遊技が可能となる。
【００６７】
なお上述実施形態では、第１表示器に表示ランプを用い、第２表示器に数字表示素子を用いた例について述べたが、第１表示器に数字表示素子を用い、第２表示器に表示ランプを用いてもよい。また、第１表示器、第２表示器共に表示ランプを用いても、あるいは数字表示素子を用いてもよい。更に、第１表示器又は第２表示器を液晶表示器等の画像表示器を用いてもよく、あるいは第１表示器、第２表示器共に液晶表示器等の画像表示器を用いてもよい。
更に、第１表示器、第２表示器の他に、第３表示器、第４表示器、…等と表示器を追加し（多数個の表示器を用い）、各表示器によって抽選演出を行うようにしてもよい。この場合、第１表示器を第１段階の抽選演出用とし、第２段階の抽選演出に第２表示器を用い、第３段階の抽選演出に第３表示器を用いるというように定まった順番で抽選演出を行うようにしてもよいし、第２段階以降の抽選演出を各表示器の中から抽選等によりランダムに決定された表示器を用いて行うようにしてもよい。
振分け体も、上述実施形態のような回転体に限られることはなく、例えばシーソ形の振分け体を用いてもよい。振分け体をシーソ形に構成する場合には、駆動源としてモータのような回転駆動源だけではなく、往復動する駆動源も容易に用いることができる。
また、時短機能作動時における第２表示器の抽選演出に用いる変動パターンは、時短機能作動時専用の変動パターンであっても、時短機能非作動時において用いられている変動パターン（第２段階の抽選演出時の変動パターン）のどちらでもよい。
更に上述実施形態では、演出制御装置が主制御装置からの制御信号を受けて演出動作用制御信号を生成、出力することにより役物装置用制御装置、音声／ランプ制御装置を制御するように構成したが、これに限らず、役物装置用制御装置の機能又は音声／ランプ制御装置の機能の少なくともいずれか一方を演出制御装置に設けるように構成してもよい。例えば、役物装置用制御装置の機能を演出制御装置に設けるように構成し、この演出制御装置にて表示ランプやモータ、数字表示素子を制御するようにしてもよい。
【００６８】
また上述実施形態では、始動入賞球をセンサが検出することにより大当たり抽選及びこれに続く抽選演出が行われ、始動入賞球が保留球となり得るように構成した。しかしこれを、ゲート通過球をセンサが検出することにより大当たり抽選及びこれに続く抽選演出を行わせ、ゲート通過球が保留球となり得るように構成してもよい。この場合、本明細書の上掲［課題を解決するための手段］において、始動用盤面構成部品とは上記始動入賞口とゲートとを総称したものであり、始動球とは上記始動入賞球とゲート通過球とを総称したものである。また、上記始動入賞口に入賞した遊技球（始動入賞球）及びゲートを通過した遊技球（ゲート通過球）を、始動用盤面構成部品に対して入賞通過した始動球と記した。
ゲート通過球をセンサが検出することにより大当たり抽選等を行うように構成した場合において、遊技球のゲート通過により賞球の払出しを行うか否かについては任意に決められる。
【図面の簡単な説明】
【００６９】
【図１】本発明によるパチンコ機の一実施形態の要部を示す正面図である。
【図２】図１中の入賞装置を取り出し、拡大して示す正面図である。
【図３】同じく斜視図である。
【図４】振分け体の短切欠きが始動入賞球入口に対向した状態にある入賞装置の正面図である。
【図５】入賞装置内の振分け体及びその前後の構成部分の分解斜視図である。
【図６】図１に示したパチンコ機の要部を示すブロック図である。
【図７】振分け体の短切欠きが当たり球排出口に対向した状態にある入賞装置の正面図である。
【図８】振分け体が時短機能作動中における姿勢を保持している入賞装置の正面図である。
【符号の説明】
【００７０】
１：盤面、４：入賞装置（役物装置）、２１：始動入賞口（始動用盤面構成部品）、２２：第１表示器、２３：振分け体、２３ａ：長切欠き、２３ｂ：短切欠き、２４：第２表示器、２５：当たり球排出口、２６：外れ球排出口、３１：入賞球センサ、３１ａ：始動入賞球センサ。
【図１】
0005215598.tif 000002
【図２】
0005215598.tif 000003
【図３】
0005215598.tif 000004
【図４】
0005215598.tif 000005
【図５】
0005215598.tif 000006
【図６】
0005215598.tif 000007
【図７】
0005215598.tif 000008
【図８】
0005215598.tif 000009